(57)【要約】【課題】  ボンド接着剤や両面粘着テープによる床フローリング材の施工に伴う欠点を除去し、床フローリング材の張り工事が簡単で安く行えるようにし、経年による床フローリング材の浮きや床鳴り現象を防止する。【解決手段】  一方の側面に嵌合凸条２が、反対側の側面に嵌合凹溝３が形成された床フローリング材１を多数用い、一方の床フローリング材１の嵌合凹溝３に他方の床フローリング材の嵌合凸条２を嵌合して、木質系部材上に床フローリング材１を敷設する場合において、先端折曲部４１を有する薄板状床フローリング材止め具４０を用い、先端折曲部４１が床フローリング材１の嵌合凹溝３の下面に接するように、当該止め具４０を床フローリング材１の側面及び前記木質系部材の上面に沿わせて折り曲げ、固定部品としてのステープル針にて前記木質系部材に固定して床フローリング材１を押さえる。【選択図】        図１
2006342597.tif 000002
【特許請求の範囲】
【請求項１】
一方の側面に嵌合凸条が、反対側の側面に嵌合凹溝が形成された床フローリング材を多数用い、一方の床フローリング材の嵌合凹溝に他方の床フローリング材の嵌合凸条を嵌合して、木質系部材上に床フローリング材を敷設する床フローリング材張り工法において、
先端折曲部を少なくとも有する薄板状床フローリング材止め具を用い、前記先端折曲部が床フローリング材の嵌合凹溝の下面に接するように、当該止め具を床フローリング材の側面及び前記木質系部材の上面に沿わせて折り曲げ又は配置し、固定部品にて前記木質系部材に固定して床フローリング材を押さえることを特徴とする床フローリング材張り工法。
【請求項２】
前記木質系部材が根太材、床下地材又は床暖房パネルの木質系部分である請求項１記載の床フローリング材張り工法。
【請求項３】
一方の側面に嵌合凸条を、反対側の側面に嵌合凹溝を有する床フローリング材の多数個が、一方の床フローリング材の嵌合凹溝に他方の床フローリング材の嵌合凸条を嵌合した状態で木質系部材上に敷設された床フローリング材張り構造において、
先端折曲部を少なくとも有する薄板状床フローリング材止め具は、前記先端折曲部が床フローリング材の嵌合凹溝の下面に接するように床フローリング材の側面及び前記木質系部材の上面に沿って折り曲げられた又は配置された状態で、固定部品にて前記木質系部材に固定されて床フローリング材を押さえていることを特徴とする床フローリング材張り構造。
【請求項４】
先端折曲部、立ち上げ部及び取付部を薄板で略クランク状に形成したことを特徴とする床フローリング材止め具。
【請求項５】
前記立ち上げ部の前記先端折曲部とは反対側に隣接して前記先端折曲部に平行な折曲用波加工部を形成した請求項４記載の床フローリング材止め具。
【発明の詳細な説明】
【技術分野】
【０００１】
本発明は、根太材、床下地材等の木質系部材上、特に木質系部分を有する床暖房パネル上に敷設するのに適した床フローリング材の張り工法及び張り構造、並びに床フローリング材止め具に関するものである。
【背景技術】
【０００２】
従来の床フローリング材張り工法は主にボンド接着剤と釘併用が一般的である。例えば、図７のように釘１０としてフロアネイルやスクリュー釘、あるいはステープル針を用いて、床フローリング材１の嵌合凸条（雄実）２より床下地材（又は根太材）１１に固定し、これと合わせて床フローリング材裏面にボンド接着剤を塗布し床下地材（又は根太材）に固定することが行われている。
【０００３】
ところで、最近、床暖房システムが普及してきて薄型の床フローリング材が出回ってきてから釘止めによる施工が出来ないため（図７のように床フローリング材の表面に露出しないように釘打ちすることができないため）、ボンド接着剤又は両面粘着テープによる張り施工が中心となってきている。この工法では下記のような欠点がある。
【０００４】
（１）ボンド接着剤による床フローリング材の張り工事は、接着性能が確保されるまでの養生時間が長く、その期間歩行や床暖房の運転開始に制限がある。また、張り工事中でも釘等による仮止めをしないとずれたり動いてしまうことが多い。
（２）ボンド接着剤で接着した後、床フローリング材の張替えや補修が困難で床暖房の場合は床暖房パネル本体の再利用が出来ない。
（３）施工中及び施工後のボンド接着剤特有の臭気やＴ−ＶＯＣ（揮発性有機化合物）の障害が懸念される。
（４）ボンド接着剤や両面粘着テープによる施工は熟練した技術及び工事手間を要し、その上材料コストが高くなる。
（５）両面粘着テープによる床フローリング材の張り工事は、ボンド接着剤のように養生期間や施工中のずれや動きの問題は無いが、張り工事の施工技術や材料コストが高いことと経年変化による浮きや剥がれの不安が残る。粘着が弱くなると浮きが出ると同時に床鳴りが発生することがある。
（６）両面粘着テープによる張り工事でも床暖房パネル本体の再利用は困難である。
（７）さらに、両面粘着テープによる張り工事において釘とボンド接着剤併用をしても釘やステープルの緩みによっては床フローリング材の浮きや床鳴りが発生することが多い。
【０００５】
以上の問題を解決することが出来る床フローリングの張り工法及び構造が求められていた。
【０００６】
なお、従来の両面粘着テープによる床フローリング材の施工を開示するものとして、下記特許文献１がある。
【特許文献１】特開平１１−２６４５５７号公報
【発明の開示】
【発明が解決しようとする課題】
【０００７】
本発明は、上記の点に鑑み、ボンド接着剤や両面粘着テープによる床フローリング材の施工に伴う欠点を除去し、床フローリング材の張り工事が簡単で安く行え、経年による床フローリング材の浮きや床鳴り現象を防止可能な床フローリング材張り工法及び床フローリング材張り構造、並びにそれらに使用可能な床フローリング材止め具を提供することを目的とする。
【０００８】
本発明のその他の目的や新規な特徴は後述の実施の形態において明らかにする。
【課題を解決するための手段】
【０００９】
上記目的を達成するために、本発明に係る床フローリング材張り工法は、一方の側面に嵌合凸条が、反対側の側面に嵌合凹溝が形成された床フローリング材を多数用い、一方の床フローリング材の嵌合凹溝に他方の床フローリング材の嵌合凸条を嵌合して、木質系部材上に床フローリング材を敷設する場合において、
先端折曲部を少なくとも有する薄板状床フローリング材止め具を用い、前記先端折曲部が床フローリング材の嵌合凹溝の下面に接するように、当該止め具を床フローリング材の側面及び前記木質系部材の上面に沿わせて折り曲げ又は配置し、固定部品にて前記木質系部材に固定して床フローリング材を押さえることを特徴としている。
【００１０】
本発明に係る床フローリング材張り構造は、一方の側面に嵌合凸条を、反対側の側面に嵌合凹溝を有する床フローリング材の多数個が、一方の床フローリング材の嵌合凹溝に他方の床フローリング材の嵌合凸条を嵌合した状態で木質系部材上に敷設された構成において、
先端折曲部を少なくとも有する薄板状床フローリング材止め具は、前記先端折曲部が床フローリング材の嵌合凹溝の下面に接するように床フローリング材の側面及び前記木質系部材の上面に沿って折り曲げられた又は配置された状態で、固定部品にて前記木質系部材に固定されて床フローリング材を押さえていることを特徴としている。
【００１１】
本発明に係る床フローリング材止め具は、先端折曲部、立ち上げ部及び取付部を薄板で略クランク状に形成したことを特徴としている。
【００１２】
前記床フローリング材止め具において、前記立ち上げ部の前記先端折曲部とは反対側に隣接して前記先端折曲部に平行な折曲用波加工部を形成してあるとよい。
【００１３】
なお、前記木質系部材は、例えば根太材、床下地材又は床暖房パネルの木質系部分である。
【発明の効果】
【００１４】
本発明に係る床フローリング材張り工法及び床フローリング材張り構造によれば以下に述べる効果を得ることができる。
（１）床フローリング材の張り工事を簡単に早く行うことが可能である。
（２）両面粘着テープやボンド接着剤を用いないので、材料コストが安い
（３）床フローリング材の貼り方が間違っても簡単にやり替えが出来る。
（４）床フローリング材止め具で床フローリング材の嵌合凹溝の部分を確実に押さえるため、経年による床フローリング材の浮きや床鳴りが発生しない。
（５）床フローリング材の外し張替えが簡単で、床フローリング材及びその止め具はそのまま再利用できる。また、床暖房パネル上に床フローリング材の張り工事を行う場合でも、床暖房パネルは張替え時に再利用できる。
（６）施工後直ちに歩行や床暖房の運転が出来る。
【００１５】
また、本発明に係る床フローリング材止め具として、先端折曲部、立ち上げ部及び取付部を薄板で略クランク状に形成したものを用いる場合、前記先端折曲部を床フローリング材の嵌合凹溝内に入れた状態で床フローリング材の前記嵌合凹溝下面を確実に押さえることができる。そして、床フローリング材の下側の木質系部材（根太材、床下地材又は床暖房パネルの木質系部分等）に固定部品（釘やステープル針、ネジ等）で簡単に固着でき、さらに固定部品を外すことにより容易に取り外しが可能で再利用もできる。
【００１６】
また、前記立ち上げ部の前記先端折曲部とは反対側に隣接して前記先端折曲部に平行な折曲用波加工部を形成した構造とすれば、前記先端折曲部を床フローリング材の嵌合凹溝内に入れた状態で床フローリング材の前記嵌合凹溝よりも下側の側面厚みに合わせて折曲用波加工部を容易に折り曲げることができ、任意の厚みの床フローリング材の押さえに利用できる。
【発明を実施するための最良の形態】
【００１７】
以下、本発明を実施するための最良の形態として、床フローリング材張り工法及び床フローリング材張り構造、並びに床フローリング材止め具の実施の形態を図面に従って説明する。
【００１８】
図１乃至図３で本発明に係る床フローリング材張り工法及び床フローリング材張り構造、並びに床フローリング材止め具の実施の形態１を示す。なお、本実施の形態では、床暖房パネル上に床フローリング材を敷設する場合で説明するが、床暖房パネルを使用する場合に限定されないのは勿論である。
【００１９】
これらの図において、根太材２０上に床下地材２１が張られており、その上に床暖房パネル３０が敷設されている。床暖房パネル３０は例えば木質系パネル材３１の溝に温水配管（又は電熱ヒータ）３２を配置したものである。
【００２０】
木質系パネル材３１上に載置される床フローリング材１は、一方の側面に嵌合凸条（雄実）２が、反対側の側面に嵌合凹溝（雌実）３が形成されたものであり、一方の床フローリング材１の嵌合凹溝３に他方の床フローリング材１の嵌合凸条２を嵌合することで相互に組み合わせた状態で、床暖房パネル３０上に多数敷設されるようになっている。
【００２１】
従来技術で述べたボンド接着剤や両面粘着テープによる床フローリング材１の固定の問題点を解消するため、ここでは床フローリング材１の固定のために図３に示す床フローリング材止め具４０を使用する。この床フローリング材止め具４０の材質は金属薄板、例えば亜鉛メッキ薄鋼板（厚さ０．１〜０．１５ｍｍ程度）等が好ましく、使用前においては図３（Ａ）,（Ｂ）のように床フローリング材１の嵌合凹溝３に差し込まれる部分となる先端折曲部４１が直角に形成されたＬ字状であり、さらに先端折曲部４１から所定間隔Ｄだけ離して折曲用波加工部（蛇腹部）４２が先端折曲部４１と平行に形成されている。前記間隔Ｄは、取り付けるべき床フローリング材１の嵌合凹溝３よりも下側の側面厚みＴ以下に設定する。
【００２２】
床フローリング材１を固定するために使用する場合、図３（Ｃ）,（Ｄ）のように先端折曲部４１が床フローリング材１の嵌合凹溝３の下面３ａに接するように床フローリング材の側面（嵌合凹溝３よりも下側の側面であって厚さＴの部分）及び木質系パネル材３１の上面に沿って折り曲げる（例えば施工時に現品に合わせて折り曲げる）。このとき、先端折曲部４１と折曲用波加工部４２との間隔Ｄは嵌合凹溝３よりも下側の側面厚みＴ以下に設定されているから、折曲用波加工部４２を利用して先端折曲部４１に続く立ち上げ部４３を取付部４４に対して直角に折り曲げ形成することが容易に行える。なお、図３（Ｃ）,（Ｄ）では折曲用波加工部４２の先端折曲部４１に最接近した位置で折り曲げられているが、前記側面厚みＴが大きければ折曲用波加工部４２の中間位置乃至先端折曲部４１から最も離れた位置に折曲線がくることになる。
【００２３】
図２を用いて床フローリング材１の取り付け手順について説明する。図２（Ａ）のように、床フローリング材１の嵌合凹溝３に床フローリング材止め具４０の先端折曲部４１を差し込み、さらに図２（Ｂ）のように先端折曲部４１が嵌合凹溝３の下面３ａに接して押さえる状態にして床フローリング材１の側面（嵌合凹溝３よりも下側の側面であって厚さＴの部分）及び木質系パネル材３１の上面に沿って折り曲げる（厚さＴに相当する立ち上げ部４３が折り曲げ形成されることになる。）。そして、図２（Ｃ）のように固定部品としてのステープル針５０（あるいは釘、ネジ等）を打ち、床フローリング材止め具４０の取付部４４を床暖房パネル３０の木質系パネル材３１に固着する。
【００２４】
このように嵌合凹溝３側が固定された床フローリング材１に対して、図１のように次の床フローリング材１の嵌合凸条２を嵌め込み、反端側側面の嵌合凹溝３側を同様にして床フローリング材止め具４０にて木質系パネル材３１に固定し、順次床フローリング材１を固定しながら多数の床フローリング材１を床暖房パネル３０上に敷設していくことが可能である。
【００２５】
なお、図１において、部屋の床面の縁となる床フローリング材１部分は壁面に固着される巾木６０で隠れるため、巾木６０の取り付け前にステープル針（あるいは釘、ネジ等）を床フローリング材１の上面から打って直接固定することができる。
【００２６】
この実施の形態１によれば、次の通りの効果を得ることができる。
【００２７】
（１）床フローリング材１の張り工事を、金属薄板の床フローリング材止め具４０を用いて簡単に早く行うことが可能である。
（２）両面粘着テープやボンド接着剤を用いないので、材料コストが安い
（３）床フローリング材止め具４０の取り外しは容易であり、床フローリング材１の貼り方が間違っても簡単にやり替えが出来る。
（４）床フローリング材止め具４０で床フローリング材１の嵌合凹溝３の部分を確実に押さえるため、つまり床フローリング材止め具４０が金属薄板で嵌合凹溝３の下面３ａを押し下げるように弾性を持たせることができるため、経年による床フローリング材１の浮きや床鳴りが発生しない。
（５）床フローリング材１の外し張替えが簡単で、床フローリング材１及び止め具４０はそのまま再利用できる。また、床暖房パネル３０も床フローリング材１の張替え時に再利用できる。
（６）施工後直ちに歩行や床暖房の運転が出来る。
（７）床フローリング材止め具４０は折り曲げ容易なように折曲用波加工部４２が形成してあり、施工時に床フローリング材１の嵌合凹溝３よりも下側の側面の厚さＴに相当する立ち上げ部４３を折り曲げ形成でき、多様な床フローリング材１の厚みに対応できる。例えば、床フローリング材止め具４０は床フローリング材１の厚み４〜１２ｍｍまで共通で使える。
【００２８】
図４は本発明の実施の形態２であって、床フローリング材止め具４０として、最小厚みの床フローリング材１に対応した必要最小限の高さの立ち上げ部４３を予め折り曲げ形成した略クランク状のものを用いている。
【００２９】
この場合、図４（Ａ）のように、床フローリング材１の嵌合凹溝３に床フローリング材止め具４０の先端折曲部４１を差し込み、さらに図４（Ｂ）のように先端折曲部４１が嵌合凹溝３の下面３ａに接して押さえる状態にして床フローリング材１の側面（嵌合凹溝３よりも下側の側面であって厚さＴの部分）に合致する高さとなるように立ち上げ部４３の高さを修正するとともに（施工時において折曲用波加工部４２を利用して立ち上げ部４３と取付部４４との境界となる折曲線位置を変えて立ち上げ部４３の高さを適切値に増やす）、木質系パネル材３１の上面に沿って折り曲げる。そして、図４（Ｃ）のように固定部品としてのステープル針５０（あるいは釘、ネジ等）を打ち、床フローリング材止め具４０の取付部４４を床暖房パネル３０の木質系パネル材３１に固着する。
【００３０】
なお、実施の形態２のその他の構成、作用効果は前述の実施の形態１と同様であり、同一又は相当部分に同一符号を付してその説明を省略する。
【００３１】
図５は本発明の実施の形態３であって、図５（Ａ）,（Ｂ）のように根太材２０上に床フローリング材１を多数敷設する構成を示す。図５（Ｃ）に示す根太材２０上における床フローリング材１同士の嵌合凸条２と嵌合凹溝３の嵌合部分に床フローリング材止め具４０を用いることで床フローリング材１を根太材２０に固定できる。すなわち、図２（Ａ）〜（Ｃ）の手順で一方の床フローリング材１の嵌合凹溝３の下面３ａを床フローリング材止め具４０で押さえ付けて根太材２０に固定し、その後次の床フローリング材１の嵌合凸条２を前記嵌合凹溝３に嵌め込むようにし、この動作を繰り返すことで、多数の床フローリング材１を根太材２０上に敷設可能である。
【００３２】
なお、前述した実施の形態１と同一又は相当部分には同一符号を付してその説明を省略する。
【００３３】
また、根太材２０上に張られた床下地材上に床フローリング材を敷設する場合にも本発明が適用可能なことは自明である。
【００３４】
図６は本発明で用いることのできる床フローリング材止め具の他の例であり、施工時に床フローリング材１の嵌合凹溝３よりも下側の側面の厚さＴに相当する立ち上げ部４３を折り曲げ形成する代わりに、予め使用する床フローリング材１の嵌合凹溝３よりも下側の側面の厚さＴに相当する立ち上げ部４３を先端折曲部４１と取付部４４との間に形成している。従って、厚さの小さな床フローリング材１の場合には図６（Ａ）のように立ち上げ部４３の高さが小さな床フローリング材止め具４０Ａを用い、厚さの大きな床フローリング材１の場合には図６（Ｂ）のように立ち上げ部４３の高さが大きな床フローリング材止め具４０Ｂを用いる。この場合、床フローリング材１の厚さの種類に合わせて床フローリング材止め具を用意する必要がある。
【００３５】
以上本発明の実施の形態について説明してきたが、本発明はこれに限定されることなく請求項の記載の範囲内において各種の変形、変更が可能なことは当業者には自明であろう。
【図面の簡単な説明】
【００３６】
【図１】本発明に係る床フローリング材張り工法及び床フローリング材張り構造、並びに床フローリング材止め具の実施の形態１を示す正断面図である。
【図２】前記実施の形態１における床フローリング材の取り付け手順であって、（Ａ）は床フローリング材の嵌合凹溝に床フローリング材止め具の先端折曲部を差し込む工程を説明する斜視図、（Ｂ）は床フローリング材止め具を床フローリング材の嵌合凹溝よりも下の側面及び木質系パネル材上面に沿わせて折り曲げ、嵌合凹溝よりも下側の側面の厚さＴに相当する立ち上げ部を形成する工程を説明する斜視図、（Ｃ）は床フローリング材止め具を固定部品としてのステープル針で固定する工程を説明する斜視図である。
【図３】本発明で用いる床フローリング材止め具の構造を示し、（Ａ）は施工前の形態を示す斜視図、（Ｂ）は同正面図、（Ｃ）は施工時に床フローリング材の嵌合凹溝よりも下側の側面厚さＴに相当する立ち上げ部を折り曲げ形成した形態を示す斜視図、（Ｄ）は同正面図である。
【図４】本発明の実施の形態２における床フローリング材の取り付け手順であって、（Ａ）は床フローリング材の嵌合凹溝に床フローリング材止め具の先端折曲部を差し込む工程を説明する斜視図、（Ｂ）は床フローリング材止め具を床フローリング材の嵌合凹溝よりも下の側面及び木質系パネル材上面に沿わせて折り曲げ、嵌合凹溝よりも下側の側面の厚さＴに合致するように立ち上げ部の高さを修正する工程を説明する斜視図、（Ｃ）は床フローリング材止め具を固定部品としてのステープル針で固定する工程を説明する斜視図である。
【図５】本発明の実施の形態３であって、（Ａ）は根太材上に床フローリング材を敷設した構成を示す正断面図、（Ｂ）は同平面図、（Ｃ）は要部拡大断面図である。
【図６】本発明で用いることのできる床フローリング材止め具の他の構造を示し、（Ａ）は厚さの小さな床フローリング材に対応する床フローリング材止め具の正面図、（Ｂ）は厚さの大きな床フローリング材に対応する床フローリング材止め具の正面図である。
【図７】従来の釘打ちによる床フローリング材の固定方法を示す拡大断面図である。
【符号の説明】
【００３７】
１  床フローリング材
２  嵌合凸条
３  嵌合凹溝
１０  釘
１１，２１  床下地材
２０  根太材
３０  床暖房パネル
３１  木質系パネル材
４０，４０Ａ，４０Ｂ  床フローリング材止め具
４１  先端折曲部
４２  折曲用波加工部
４３  立ち上げ部
４４  取付部
５０  ステープル針
６０  巾木
【図１】
2006342597.tif 000003
【図２】
2006342597.tif 000004
【図３】
2006342597.tif 000005
【図４】
2006342597.tif 000006
【図５】
2006342597.tif 000007
【図６】
2006342597.tif 000008
【図７】
2006342597.tif 000009